(57)【要約】【課題】多くの断熱材をコンクリート躯体に取り付ける場合であっても全ての縦溝を確実に連続させて良好な湿気の排出が可能となる断熱材及び外断熱構造を得る。【解決手段】建物躯体の外面に貼着される外断熱用の断熱材１００であって、室外側の面１１に、複数の縦溝１３が設けられるとともに、この縦溝１３に交差する小口１５に、縦溝１３に連通する横溝１７が設けられる。横溝１７は、小口縁部を面取りして形成されることが好ましい。【選択図】図１
2006077401.tif 000002
【特許請求の範囲】
【請求項１】
建物躯体の外面に貼着される外断熱用の断熱材であって、
室外側の面に、複数の縦溝が設けられるとともに、該縦溝に交差する小口に、該縦溝に連通する横溝が設けられたことを特徴とする断熱材。
【請求項２】
前記横溝が、小口縁部を面取りして形成されたことを特徴とする請求項１記載の断熱材。
【請求項３】
建物躯体の外面に、断熱材、外装仕上材が順次積層されて取り付けられる外断熱構造において、
前記断熱材の室外側の面に、複数の縦溝が設けられるとともに、該縦溝に交差する小口に、該縦溝に連通する横溝が設けられたことを特徴とする外断熱構造。
【請求項４】
前記断熱材の室外側の面に、上下に隣接する前記外装仕上材同士の目地に沿う方向で粘着テープが貼着されたことを特徴とする請求項３記載の外断熱構造。
【発明の詳細な説明】
【技術分野】
【０００１】
本発明は、断熱材及びその断熱材を用いた外断熱構造に関し、特にコンクリート躯体からなる建物の外断熱構造に用いて好適なものである。
【背景技術】
【０００２】
建物の断熱性を向上させる方法として内断熱と外断熱があるが、内断熱は、結露による室内環境の悪化を招くことがある。このことから、近年では、断熱性の確保と共に、コンクリート躯体を保護し、建物の耐久性を向上させることを目的として、コンクリート躯体の外側に断熱材を設ける外断熱構造が多く用いられるようになっている。
【０００３】
このような外断熱構造とすることで、コンクリート躯体に日射によって生じる熱応力を和らげる、室温の変動を緩やかにし快適な室温を保つことができる、室内の局部熱冷却が緩和される、室内の結露を防止できるなどの多くの効果を得ることができる。この外断熱構造では、コンクリート躯体の室外側に断熱材を取り付け、この断熱材の室外側に、さらに外装仕上材を取り付けることで断熱構造を形成している。
【０００４】
【特許文献１】特開２００３−２３９４１５号公報
【発明の開示】
【発明が解決しようとする課題】
【０００５】
ところで、コンクリート建築物の壁体内では、室内外の水蒸気圧差によって、冬季には室内側から室外側へ、夏季には室外側から室内側へ湿気が流れようとする。このためコンクリート躯体外側に断熱材と外装材を設けた外断熱構造の場合、冬季においては、湿気が室内側からコンクリート躯体内、断熱材内を透過し、室外側へ流れるようになる。その結果、断熱材と外装材の界面では、湿気が滞留し易く結露の発生する問題が生じる。結露はカビなどの発生原因となるのに加え、滞留した結露は断熱材や外装材の性能を低下させることもあった。
これに対し上記特許文献１には、断熱材と外装材の界面に湿気を滞留させない目的で、湿気を逃がすための縦方向の溝を断熱材に設け、これを通気部とすることで、結露を生じ難くする技術が開示されている。
しかしながら、このような断熱構造では、断熱材を躯体に取り付けるに際し、断熱材の寸法精度やコンクリート躯体の施工状態により、上下の断熱材同士にずれの生じる場合があり、上下の断熱材の溝部（通気部）が合わなくなる（連通しなくなる）ことがあった。特に、多くの断熱材をコンクリート躯体に取り付ける場合には、建物の最下部から最上部まで断熱材の溝部を全て合わせて連続することは手間がかかるとともに、極めて困難であり、現実的には上下の溝部が塞がれてしまうことになった。そして、断熱材の溝部が連続しなくなった場合には、湿気の排出場所がなくなり、透過してきた湿気が溝部で滞留してしまう。このようにして滞留した湿気は、外装材を透過して外装材表面に施した仕上げ材の脹れや剥がれの原因となったり、内部結露の原因となり、断熱材や外装材の性能を著しく低下させた。
本発明は上記状況に鑑みてなされたもので、多くの断熱材をコンクリート躯体に取り付ける場合であっても全ての縦溝を確実に連続させて良好な湿気の排出が可能となる断熱材及び外断熱構造を提供し、もって、断熱材や外装材の耐久性向上を図ることを目的とする。
【課題を解決するための手段】
【０００６】
上記目的を達成するための本発明に係る請求項１記載の断熱材は、建物躯体の外面に貼着される外断熱用の断熱材であって、室外側の面に、複数の縦溝が設けられるとともに、該縦溝に交差する小口に、該縦溝に連通する横溝が設けられたことを特徴とする。
【０００７】
この断熱材では、断熱材の精度、施工精度によって断熱材の上下で縦溝が一致しない（合わない）場合であっても、縦溝の連続性が横溝によって確保され、湿気が縦溝から横溝を通って他の縦溝に排出される。これにより、湿気が滞留することがなくなり、良好な湿気の排出が可能となり、内部での結露の心配がなくなる。
【０００８】
請求項２記載の断熱材は、前記横溝が、小口縁部を面取りして形成されたことを特徴とする。
【０００９】
この断熱材では、断熱材小口縁部の一隅部のみを横方向に切除する面取りのみによって横溝が形成可能となり、横溝の形成が容易かつ確実になる。また、断面コ字形状の横溝を形成する場合に比べ、断熱材の切欠損失を小さくして（切り欠き効果による応力集中を小さくして）断熱材の強度低下を少なくすることができる。
【００１０】
請求項３記載の外断熱構造は、建物躯体の外面に、断熱材、外装仕上材が順次積層されて取り付けられる外断熱構造において、前記断熱材の室外側の面に、複数の縦溝が設けられるとともに、該縦溝に交差する小口に、該縦溝に連通する横溝が設けられたことを特徴とする。
【００１１】
この外断熱構造では、上下で隣接する断熱材の縦溝同士が左右にずれても、隣接する上下の断熱材の縦溝が小口の横溝によって必ず連続するように通じ（連通し）、縦溝の連続性を考慮しながら施工する必要がなくなる。また、断熱材とセメント系パネル（スレートボード）などの安価な材料によって断熱構造が構成可能となる。
【００１２】
請求項４記載の外断熱構造は、前記断熱材の室外側の面に、上下に隣接する前記外装仕上材同士の目地に沿う方向で粘着テープが貼着されたことを特徴とする。
【００１３】
この外断熱構造では、貼着された粘着テープが、外装仕上材の目地の部分で縦溝を覆うこととなり、外装材目地にシーリングが施された際に、シール材によって縦溝の埋まることがなく、目地部における防水性能の確保と、湿気排出溝の確保との双方が達成される。
【発明の効果】
【００１４】
本発明に係る断熱材によれば、断熱材の室外側に複数の縦溝を設けるとともに、この縦溝に交差する小口に横溝を設けたので、上下で隣接する断熱材の縦溝同士が左右にずれても、湿気が縦溝から横溝を通って隣接する上下の断熱材の縦溝に流入して確実に排出される。このため、湿気が滞留することがなくなり、壁体内部での結露の心配がなくなる。また、断熱材の断熱性能を低下させないような幅と深さの寸法が小さい縦溝であっても、縦溝の連続性が確保され、湿気の排出を確実に行うことができる。
【００１５】
本発明に係る外断熱構造によれば、建物躯体の外面に、断熱材、外装仕上材を順次積層して取り付ける外断熱構造において、断熱材の室外側の面に、複数の縦溝を設け、この縦溝に交差する小口に、縦溝に連通する横溝を設けたので、上下で隣接する断熱材の縦溝同士が左右にずれても、隣接する上下の断熱材の縦溝が小口の横溝によって必ず連通し、縦溝の連続性を考慮しながら施工する必要がなく、施工性の向上を図ることができる。また、外断熱構造は一般的に高価であるが、断熱材とセメント系パネルなどの安価な材料によって断熱構造を構成することができるので、外断熱構造のコストを低減することができる。
【発明を実施するための最良の形態】
【００１６】
以下、本発明に係る断熱材及び外断熱構造の好適な実施の形態を図面を参照して説明する。
図１は本発明に係る断熱材を室外側から見た斜視図である。
本実施の形態による断熱材１００は、建物躯体の外面に貼着される外断熱用の断熱材として例えば矩形板状に形成される。断熱材１００の主要な構成材料としては、ポリスチレンフォームなどを挙げることができる。なお、断熱材１００は、厚みや材質（性能）など地域や目的とする断熱性能に応じたものを用いることができる。
【００１７】
この断熱材１００の室外側の面１１には複数の略平行な縦溝１３が上下端に亘って設けられている。また、断熱材１００の室外側の面１１には、縦溝１３に交差する小口１５に、この縦溝１３に連通する横溝１７が設けられている。縦溝１３に交差する小口は、断熱材１００の上端と下端とに存在するが、本実施の形態では断熱材１００の上端側の小口１５のみに横溝１７が設けられている。なお、このように上端側の小口１５のみに横溝１７が設けられることで後述する効果が得られることになる。
【００１８】
断熱材１００は、より具体的に縦溝１３が、幅ｗ＝１ｍｍ、深さｄ＝１ｍｍ、溝間隔ｐ＝１０ｍｍ程度で形成することができる。また、横溝１７は、例えば幅Ａ＝１〜２０ｍｍ、深さＢ＝１〜２０ｍｍ程度、好ましくはＡ＝Ｂ＝１〜５ｍｍ程度で形成することができる。縦溝１３及び横溝１７は、幅と深さの寸法があまり小さすぎると、加工精度が必要となりコストが高くなる。また、幅と深さの寸法があまり大きすぎると断熱材１００の断熱性能が低下するとともに、加工に手間がかかりコストが増大する。すなわち、断熱材１００は、上記の具体的寸法とすることで、安価にかつ断熱性能を低下させずに形成することができる。
【００１９】
横溝１７は、一般的な断面コ字形状の溝ではなく、図１に示すように面取りとしても良い。この横溝１７によれば、断熱材小口縁部の一隅部のみを横方向に切除する面取りのみによって溝が形成可能となり、横溝１７の形成が容易かつ確実になる。また、面取りにより横溝１７を形成すれば、断面コ字形状の横溝を形成する場合に比べ、断熱材１００の切欠損失を小さくして（切り欠き効果による応力集中を小さくして）断熱材１００の強度低下を少なくすることができる。
【００２０】
この断熱材１００では、製作の精度、取り付け施工精度によって断熱材１００の上下で縦溝１３が一致しない（合わない）場合であっても、縦溝１３の連続性が横溝１７によって確保され、湿気が縦溝１３から横溝１７を通って他の縦溝１３に排出される。これにより、湿気が滞留することがなくなり、良好な湿気の排出が可能となり、内部での結露の心配がなくなる。
【００２１】
次に、本発明に係る外断熱構造を説明する。
図２は図１に示した断熱材を用いた外断熱構造の斜視図、図３は図２の横断面図、図４は図２に示した外断熱構造の縦断面図、図５は図４の要部拡大図、図６は縦溝がずれて配置された連結部における上下断熱材の正面図、図７は本発明に係る外断熱構造の湿気排出作用を表した模式図である。
本実施の形態による外断熱構造は、上記の断熱材１００をその主要な構成要素として用いている。すなわち、建物躯体２１の外面２３に、断熱材１００、外装仕上材２５が順次積層されて取り付けられる外断熱構造において、断熱材１００の室外側の面１１に、複数の縦溝１３が設けられるとともに、この縦溝１３に交差する小口１５に、縦溝１３に連通する横溝１７（図１参照）が設けられた構造となる。
【００２２】
より具体的には、建物躯体２１であるコンクリート躯体に、アンカー２７又は接着剤２９を用いて取り付けられる。断熱材１００の上には外装仕上材２５が取り付けられる。外装仕上材２５は、アンカー２７を用いてコンクリート躯体に留め付けられる。外装仕上材２５の上下の目地部には、断熱材表面に粘着テープである防水テープ３１を貼り付け、目地部における防水性能の向上と、シーリング材打設時における湿気排出溝の確保を図っている。つまり、外装仕上材２５の目地にシーリングをした時に、縦溝１３、横溝１７がシーリング材によって埋まるのを防止している。防水テープ３１としては、市販の防水両面テープなどを用いることができる。
【００２３】
このように、本実施の形態による外断熱構造では、建物躯体２１の表面にアンカー２７又は接着剤２９によって断熱材１００が貼着され、この断熱材１００の所定位置には防水テープ３１が貼られる。さらに、その表面には外装仕上材２５であるセメント系パネル（スレートボード）３３がアンカー２７によって貼着される。スレートボード３３の表面にはタイル用接着剤３５が塗布され、外装仕上材２５であるモザイクタイル３７などが貼られる。なお、スレートボード表面の仕上げは、塗装仕上げであってもよい。また、建物躯体２１の直交する二方向からの外面２３が交わるコーナ部では、スレートボード３３によって予め直角に形成されたコーナーパネル３９が建て込まれる。
【００２４】
したがって、断熱材１００とスレートボード３３との間には、図３に示すように、縦溝１３によって、湿気排出用の空間１３ａが形成されることとなる。断熱材１００とスレートボード３３との間に形成された空間１３ａは、建物躯体２１の上部を塞ぐ図４に示す笠木（パラペット）４１内で開口され、笠木４１とモザイクタイル３７の表面との間に形成された通気開口部４３によって外部へと連通される。また、空間１３ａの下端は、建物躯体２１の水切り４５との間に形成される間隙４７に開口されて外部へと連通される。
【００２５】
この外断熱構造では、図５に示すように、上端側の小口１５のみに横溝１７が設けられた断熱材１００が、上下方向に連続して建物躯体２１に貼設させることで、図６に示すように、仮に上下で隣接する断熱材１００、１００の縦溝１３、１３同士が左右にずれても、隣接する上下の断熱材１００、１００の縦溝１３、１３が小口１５に形成された横溝１７によって必ず連続するように通じ（連通す）る。
【００２６】
そして、図７に示すように、透過した湿気は、縦溝１３によって、上部又は下部へ導かれ、笠木４１部又は水切り４５部から外部へ排出される。これにより、縦溝１３の連続性を考慮しながら施工する必要がなくなる。また、断熱材１００とスレートボード３３などの安価な材料によって断熱構造が構成可能となる。
【００２７】
したがって、本実施の形態の断熱材１００によれば、断熱材１００の室外側に複数の縦溝１３を設けるとともに、この縦溝１３に交差する小口１５に横溝１７を設けたので、上下で隣接する断熱材１００の縦溝１３同士が左右にずれても、湿気が縦溝１３から横溝１７を通って隣接する上下の断熱材１００の縦溝１３に流入して確実に排出される。このため、湿気が滞留することがなくなり、壁体内部での結露の心配がなくなる。また、断熱材１００の断熱性能を低下させないような幅と深さの寸法が小さい縦溝１３であっても、縦溝１３の連続性が確保され、湿気の排出を確実に行うことができる。
【００２８】
また、本実施の形態の外断熱構造によれば、建物躯体２１の外面２３に、断熱材１００、外装仕上材２５を順次積層して取り付ける外断熱構造において、断熱材１００の室外側の面１１に、複数の縦溝１３を設け、この縦溝１３に交差する小口１５に、縦溝１３に連通する横溝１７を設けたので、上下で隣接する断熱材１００の縦溝１３同士が左右にずれても、隣接する上下の断熱材１００の縦溝１３が小口１５の横溝１３によって必ず連通し、縦溝１３の連続性を考慮しながら施工する必要がなく、施工性の向上を図ることができる。また、外断熱構造は一般的に高価であるが、断熱材１００とセメント系パネル（スレートボード３３）などの安価な材料によって断熱構造を構成することができるので、外断熱構造のコストを低減することができる。
【００２９】
さらに、断熱材１００の室外側の面１１に、上下に隣接する外装仕上材２５同士の目地に沿う方向で防水テープ３１が貼着されるので、貼着された防水テープ３１が、外装仕上材２５の目地の部分で縦溝１３を覆うこととなり、外装材目地にシーリングが施された際に、シール材によって縦溝１３の埋まることがなく、目地部における防水性能の確保と、湿気排出溝の確保との双方が達成される。
【００３０】
なお、本実施の形態による断熱材１００は、横溝１７を設けることによって、上下に隣接する断熱材１００にずれが生じた場合であっても、縦溝１３の連通性が確保されるので、単に縦溝１３の上下端を切り欠いて（拡幅して）、上下の断熱材１００の縦溝１３のずれを吸収する構造とした場合と異なり、そのずれ吸収範囲に限界がない。
【００３１】
また、断熱材１００の上端小口縁部のみに面取りによる横溝１７が設けられることにより、結露水の滞留をなくして、面取りの傾斜面によって円滑な排水勾配が確保される。すなわち、断熱材１００の下端小口縁部のみに横溝１７が形成される逆の構造では、縦溝１３の連続性は確保されるものの、下側断熱材１００の上端面が水平となるので、上側断熱材１００の縦溝１３から流下した結露水が、その水平端面上に滞留し易くなる。このように、上記の実施の形態による外断熱構造によれば、断熱材１００の上端小口縁部のみに横溝１７を設ける構成としたので、結露水を一層滞留し難くし、仕上げ材の脹れや剥がれ、断熱材や外装材の性能低下を防止することができる。
【００３２】
さらに、上述した断熱材及び断熱材を用いた外断熱構造は、新築建築物だけではなく、ＲＣ構造物やＡＬＣ、ＰＣ板など既存外壁のリフォームを兼ねて施工することも可能である。
【図面の簡単な説明】
【００３３】
【図１】本発明に係る断熱材を室外側から見た斜視図である。
【図２】図１に示した断熱材を用いた外断熱構造の斜視図である。
【図３】図２の横断面図である。
【図４】図２に示した外断熱構造の縦断面図である。
【図５】図４の要部拡大図である。
【図６】縦溝がずれて配置された連結部における上下断熱材の正面図である。
【図７】本発明に係る外断熱構造の湿気排出作用を表した模式図である。
【符号の説明】
【００３４】
１１…室外側の面、１３…縦溝、１５…縦溝に交差する小口、１７…横溝、２１…建物躯体、２３…外面、２５…外装仕上材、３１…防水テープ（粘着テープ）、１００…断熱材
【図１】
2006077401.tif 000003
【図２】
2006077401.tif 000004
【図３】
2006077401.tif 000005
【図４】
2006077401.tif 000006
【図５】
2006077401.tif 000007
【図６】
2006077401.tif 000008
【図７】
2006077401.tif 000009